【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
従属エンティティにおいて動作可能なワイヤレス通信の方法であって、
第1のキャリアを介して、第1の送信時間間隔(TTI)を使用してスケジューリングエンティティとワイヤレス通信するステップであって、前記第1のキャリアは時分割複信(TDD)キャリアである、ステップと、
前記第1のキャリアとペアにされるが、前記第1のキャリアからは周波数が分離されている第2のキャリアを介して、前記第1のTTIとは異なり、前記第1のTTIの一部と重複する第2のTTIを使用して前記スケジューリングエンティティとワイヤレス通信するステップとを含む方法。
【請求項２】
前記第2のTTIは、前記第1のTTIよりも持続時間が短い、請求項1に記載の方法。
【請求項３】
前記第2のキャリアは、前記第1のキャリア上でのデータ送信を制御するための少なくとも1つの制御チャネルを含む、請求項1に記載の方法。
【請求項４】
前記第2のキャリアは周波数分割複信(FDD)キャリアである、請求項3に記載の方法。
【請求項５】
前記FDDキャリア上のフィードバックチャネル上で、前記スケジューリングエンティティにスケジューリング要求を送信するステップと、
前記スケジューリング要求に応答して、前記FDDキャリア上で前記スケジューリングエンティティからアップリンク許可を受信するステップであって、前記アップリンク許可は、前記第2のTTIを使用するアップリンクデータ送信のための、前記TDDキャリア上の許可されたリソースを識別するように構成される、ステップと、
前記アップリンク許可に従って、前記第2のTTIを使用して、前記スケジューリングエンティティに前記アップリンクデータを送信するステップとをさらに含む、請求項4に記載の方法。
【請求項６】
前記FDDキャリア上で前記スケジューリングエンティティから許可修正を受信するステップであって、前記許可修正は、前記第1のTTIを使用するアップリンクデータ送信のためのリソースの既存の許可を修正するように構成される、ステップと、
前記許可修正に従ってアップリンク送信を中断するために、トランシーバに関連付けられた電力増幅器へのゼロ入力を駆動するステップとをさらに含む、請求項4に記載の方法。
【請求項７】
前記第2のTTIを使用して、前記FDDキャリア上の許可チャネル上で、前記スケジューリングエンティティからダウンリンク許可を受信するステップと、
前記第2のTTIを使用して、前記TDDキャリア上で、前記ダウンリンク許可に対応するダウンリンクデータを前記スケジューリングエンティティから受信するステップとをさらに含み、
場合により、前記ダウンリンク許可、および前記ダウンリンク許可に対応する前記ダウンリンクデータは、互いに対して同時に受信される、請求項4に記載の方法。
【請求項８】
前記TDDキャリア上でアップリンクデータを送信する間、前記第2のTTIを使用して、前記FDDキャリア上の許可チャネル上で前記スケジューリングエンティティからダウンリンク許可を受信し、バッファリングするステップをさらに含む、請求項4に記載の方法。
【請求項９】
前記FDDキャリア上で前記スケジューリングエンティティから許可修正を受信するステップであって、前記許可修正は、前記第1のTTIを使用するダウンリンクデータのためのリソースの既存の許可を修正するように構成される、ステップと、
前記許可修正に従って、前記第1のTTIを使用する、前記TDDキャリア上での前記ダウンリンクデータの受信を修正するステップとをさらに含み、
場合により、前記ダウンリンクデータの受信を修正する前記ステップは、少なくとも1つの第2のTTI中に前記ダウンリンクデータの受信を中断するステップを含み、請求項4に記載の方法。
【請求項１０】
前記第2のキャリアは、前記第1のキャリアとの共役ペアリングを有するTDDキャリアであり、前記第1のキャリア中のタイムスロットの少なくとも一部分は、前記第2のキャリア中の時間整合されたタイムスロットの方向に対して、方向が補完的である、請求項1に記載の方法。
【請求項１１】
前記第1のキャリア上のフィードバックチャネル上で、スケジューリングエンティティにスケジューリング要求を送信するステップと、
前記スケジューリング要求に応答して、前記第2のキャリア上で前記スケジューリングエンティティからアップリンク許可を受信するステップであって、前記アップリンク許可は、前記第2のTTIを使用するアップリンクデータ送信のための、前記第1のキャリア上の許可されたリソースを識別するように構成される、ステップと、
前記アップリンク許可に従って、前記第2のTTIを使用して、前記スケジューリングエンティティに前記アップリンクデータを送信するステップとをさらに含む、請求項10に記載の方法。
【請求項１２】
前記第2のキャリア上で許可修正を受信するステップであって、前記許可修正は、前記第1のTTIを使用するアップリンクデータ送信のためのリソースの既存の許可を修正するように構成される、ステップと、
前記許可修正に従って前記アップリンクデータ送信を修正するステップとをさらに含み、
場合により、前記アップリンクデータを修正する前記ステップは、前記アップリンクデータの送信を中断するステップを含む、請求項10に記載の方法。
【請求項１３】
前記第2のTTIを使用して、前記第2のキャリア上の許可チャネル上で、スケジューリングエンティティからダウンリンク許可を受信するステップと、
前記第2のTTIを使用して、前記第1のキャリア上で、前記ダウンリンク許可に対応するダウンリンクデータを前記スケジューリングエンティティから受信するステップとをさらに含み、
場合により、前記ダウンリンク許可および前記ダウンリンクデータは、互いに対して同時に受信される、請求項10に記載の方法。
【請求項１４】
前記第1のTTIを使用して前記第1のキャリア上でアップリンクデータを送信する間、前記第2のTTIを使用して、前記第2のキャリア上の許可チャネル上でスケジューリングエンティティからダウンリンク許可を受信し、バッファリングするステップをさらに含む、請求項10に記載の方法。
【請求項１５】
前記第2のキャリア上のフィードバックチャネル上で、スケジューリングエンティティにスケジューリング要求を送信するステップと、
前記スケジューリング要求に応答して、前記スケジューリングエンティティからアップリンク許可を受信するステップであって、前記アップリンク許可は、前記第2のTTIを使用するアップリンクデータ送信のための、前記第1のキャリア上の許可されたリソースを識別するように構成される、ステップと、
前記アップリンク許可に従って、前記第1のキャリア上で、前記第2のTTIを使用して、前記スケジューリングエンティティに前記アップリンクデータを送信するステップとをさらに含み、
場合により、許可修正およびダウンリンクデータは、互いに対して同時に受信される、請求項10に記載の方法。
【請求項１６】
前記第1のキャリア上で前記スケジューリングエンティティから許可修正を受信するステップであって、前記許可修正は、前記第1のTTIを使用するダウンリンクデータのためのリソースの既存の許可を修正するように構成される、ステップと、
前記許可修正に従って、前記第1のTTIを使用する、前記第2のキャリア上での前記ダウンリンクデータの受信を修正するステップとをさらに含み、
場合により、前記ダウンリンクデータの受信を修正する前記ステップは、少なくとも1つの第2のTTI中に前記ダウンリンクデータの受信を中断するステップを含む、請求項10に記載の方法。
【請求項１７】
ワイヤレス通信のために構成された従属エンティティであって、請求項1から6のいずれか一項に記載の方法を実行するための手段を備える、従属エンティティ。
【請求項１８】
ワイヤレス通信のために構成された従属エンティティ上の、コンピュータ実行可能コードを記憶するコンピュータ可読媒体であって、請求項1から6のいずれか一項に記載の方法をコンピュータに実行させるための命令を含むコンピュータ可読記録媒体。